(57)【要約】      （修正有）【課題】家具としての外観の良さを確保でき、且つ、硬質カバー体と軟質カバー体との取り付け及び取り外しが容易にできるといった高性能なダクトカバーを提供する。【解決手段】家具本体の開口部を閉塞するためのものであって、前記開口部を閉塞した際に表面に露出する上向き面１１１ａを備え且つ硬質樹脂により形成してなる硬質カバー体１１と、前記開口部を閉塞した際に表面に露出する上向き面２１１を備え且つ軟質樹脂により形成してなる軟質カバー体２１と、硬質樹脂により形成してなり且つ互いに着脱可能に係合する第１係合要素１２および第２係合要素２２とを備え、前記第１係合要素１２および前記第２係合要素２２のうちいずれか一方を前記硬質カバー体１１と一体に形成するとともに、他方を前記軟質カバー体２１と一体に形成し、前記第１係合要素１２と前記第２係合要素２２とを係合させることにより前記開口部を閉塞するように構成した。【選択図】図６
2005143750.tif 000002
【特許請求の範囲】
【請求項１】
家具本体の開口部を閉塞するためのものであって、
前記開口部を閉塞した際に表面に露出する上向き面を備え且つ硬質樹脂により形成してなる硬質カバー体と、
前記開口部を閉塞した際に表面に露出する上向き面を備え且つ軟質樹脂により形成してなる軟質カバー体と、
硬質樹脂により形成してなり且つ互いに着脱可能に係合する第１係合要素および第２係合要素とを備え、
前記第１係合要素および前記第２係合要素のうちいずれか一方を前記硬質カバー体と一体に形成するとともに、他方を前記軟質カバー体と一体に形成し、
前記第１係合要素と前記第２係合要素とを係合させることにより、前記硬質カバー体と前記軟質カバー体とを一体的にして前記開口部を閉塞して、前記各上向き面が表面に露出するように構成していることを特徴とするダクトカバー。
【請求項２】
前記軟質カバー体と、前記第1係合要素および前記第２係合要素のうち前記軟質カバー体と一体に形成される係合要素とが、押し出し成形により一体に形成されてなるものであることを特徴とする請求項１記載のダクトカバー。
【請求項３】
前記第1係合要素および前記第２係合要素のうち前記軟質カバー体と一体に形成される係合要素が、前記軟質カバー体と平面視重合して隠蔽され得る位置に設けられていることを特徴とする請求項１または２記載のダクトカバー。
【請求項４】
前記第１係合要素と第２係合要素とが、所定方向に沿ってスライド移動可能に構成されていることを特徴とする請求項１乃至３いずれか記載のダクトカバー。
【請求項５】
前記第１係合要素が、前記第２係合要素の少なくとも一部と摺動し且つその第２係合要素のスライド移動を、前記スライド移動方向と異なる方向への移動を禁止しつつ案内する摺動要素を備えることを特徴とする請求項４記載のダクトカバー。
【請求項６】
前記摺動要素が、前記所定方向と直交する方向に窪み且つ前記第２係合要素と摺動することを避けるための凹部を備えていることを特徴とする請求項５記載のダクトカバー。
【請求項７】
前記第２係合要素が横断面略コ字状のものであり、且つ、前記摺動要素が前記第２係合要素内を摺動するものであって、
前記所定方向における前記第１係合要素の先端部を、その先端に向けて断面積が徐々に小さくなるように構成していることを特徴とする請求項４乃至６いずれか記載のダクトカバー。
【請求項８】
前記軟質カバー体が、一端部側を前記第２係合要素の上端部に支持される軟質カバー上要素と、一端部側を前記第２係合要素の下端部に支持される軟質カバー下要素とを備えるものであって、
前記軟質カバー上要素と前記軟質カバー下要素とを、平面視重合する位置に配置するとともに、
前記軟質カバー上要素の他端部側と軟質カバー下要素の他端部側とを連続させていることを特徴とする請求項７記載のダクトカバー。
【請求項９】
前記第１係合要素と前記第２係合要素とを係合させた際に、
前記硬質カバー体の上向き面と前記軟質カバー体の上向き面とが略面一となるように構成していることを特徴とする請求項１乃至８いずれか記載のダクトカバー。
【請求項１０】
請求項１乃至９いずれか記載のダクトカバーと、前記ダクトカバーにより閉塞される開口部を備えた家具本体とを具備することを特徴とする家具。
【発明の詳細な説明】
【技術分野】
【０００１】
本発明は、配線コード類を収容可能な開口部を閉塞するダクトカバー、およびこのダクトカバーを適用され且つオフィス等で好適に利用される家具に関するものである。
【背景技術】
【０００２】
従来から、デスクの天板の後部に設けられた配線用ダクト上面の開口部にダクトカバーを適用し、その開口部を閉塞するようにしたものが知られている。具体的にこのダクトカバーは、硬質樹脂からなう硬質カバー体と軟質樹脂からなる軟質カバー体とを押出成形により一体に形成したダクトカバー本体と、このダクトカバー本体を支持する硬質樹脂にからなるダクトカバー支持体とを具備してなる。そして、前記開口部を閉塞した際に、硬質カバー体の上向き面と軟質カバー体の上向き面とを、表面に露出させて使用するように構成されている（例えば特許文献１参照）。
【特許文献１】特開２００２−１３６３４５号公報（第２〜３頁、第７図）
【発明の開示】
【発明が解決しようとする課題】
【０００３】
ところが、従来のダクトカバーでは、表面に露出する硬質カバー体と軟質カバー体とを押出成形により一体に形成しているため、硬質カバー体の上向き面の平滑性を得ることが困難であり、家具としての見栄えを悪化させていた。また、表面の平滑性を得るために硬質カバー体をインジェクション成形により形成し、軟質カバー体を押出成形により別体で形成したとしても、硬質カバー体と軟質カバー体とを係合させる際に、軟質カバー体の取付部分が撓んでしまい、うまく係合できないばかりか、その取付強度にも不安が残るといった課題を有している。
【０００４】
本発明は、このような課題に着目してなされたものであって、主たる目的は、家具としての外観の良さを確保でき、且つ、硬質樹脂からなる硬質カバー体と、軟質樹脂からなる軟質カバー体との、取り付け及び取り外しを容易に行えるといった高性能なダクトカバーを提供することにある。
【課題を解決するための手段】
【０００５】
すなわち、本発明のダクトカバーは、家具本体の開口部を閉塞するためのものであって、前記開口部を閉塞した際に表面に露出する上向き面を備え且つ硬質樹脂により形成してなる硬質カバー体と、前記開口部を閉塞した際に表面に露出する上向き面を備え且つ軟質樹脂により形成してなる軟質カバー体と、硬質樹脂により形成してなり且つ互いに着脱可能に係合する第１係合要素および第２係合要素とを備え、前記第１係合要素および前記第２係合要素のうちいずれか一方を前記硬質カバー体と一体に形成するとともに、他方を前記軟質カバー体と一体に形成し、前記第１係合要素と前記第２係合要素とを係合させることにより、前記硬質カバー体と前記軟質カバー体とを一体的にして前記開口部を閉塞して、前記各上向き面が表面に露出するように構成していることを特徴とする。
【０００６】
このようなものであれば、例えば、硬質カバー体をインジェクション成形で形成すれば、その硬質カバー体の上向き面の平滑性を確保でき、見栄えを良くできる。また、第１係合要素と第２係合要素とをともに硬質樹脂で構成しているので、それら第１係合要素と第２係合要素とを容易に係合させることができ、硬質カバー体と軟質カバー体とを取り付けやすい。また、軟質樹脂のみで構成される軟質カバー体と比較して取付強度を増すことができる。さらに、軟質カバー体がへたっても、容易に交換することができる。また、異なる色や形状の軟質カバー体を備えたダクトカバーを安価に提供することができる。
【０００７】
すなわち、ダクトカバーを家具本体に適用しても、家具としての外観の良さを確保でき、且つ、硬質カバー体と軟質カバー体との取り付け及び取り外しが容易にできるといった、高付加価値なダクトカバーを提供することができる。
【０００８】
なお、容易に且つ安価に製造するためには、前記軟質カバー体と、前記第1係合要素および前記第２係合要素のうち前記軟質カバー体と一体に形成される係合要素とが、押し出し成形により一体に形成されてなるものであることが望ましい。
【０００９】
また、前記第1係合要素および前記第２係合要素のうち前記軟質カバー体と一体に形成される係合要素が、前記軟質カバー体と平面視重合して隠蔽され得る位置に設けられているものであれば、その係合要素を軟質カバー体により隠蔽して、外観を向上することができる。
【００１０】
また、スライドといった簡単な動作で、硬質カバー体と軟質カバー体とを容易に着脱できるようにするためには、前記第１係合要素と第２係合要素とが、所定方向に沿ってスライド移動可能に構成されていることが好ましい。
【００１１】
このとき、前記第１係合要素が、前記第２係合要素の少なくとも一部と摺動し且つその第２係合要素のスライド移動を、前記スライド移動方向と異なる方向への移動を禁止しつつ案内する摺動要素を備えるものであれば、スムーズなスライドを実現することができるとともに、軟質カバー体の脱落を防止できる。
【００１２】
そして、前記摺動要素が、前記所定方向と直交する方向に窪み且つ前記第２係合要素と摺動することを避けるための凹部を備えているものえあれば、凹部内の所定部を、インジェクション成形型に設けた樹脂注入ゲートと対応させれば、成形時に生じるバリが多少残っていても第２係合要素の一部と第１係合要素の摺動要素とが当接せず、すなわちスライドを妨げることにはならず、好適に使用できる。
【００１３】
また、前記第２係合要素が横断面略コ字状のものであり、且つ、前記摺動要素が前記第２係合要素内を摺動するものであって、前記所定方向における前記第１係合要素の先端部を、その先端に向けて断面積が徐々に小さくなるように構成したものであれば、第１係合要素と第２係合要素とを差し込み易い。
【００１４】
ところで、軟質カバー体全体の剛性を高め、軟質カバー上要素にしわが生じることを効果的に防止するためには、前記軟質カバー体が、一端部側を前記第２係合要素の上端部に支持される軟質カバー上要素と、一端部側を前記第２係合要素の下端部に支持される軟質カバー下要素とを備えるものであって、前記軟質カバー上要素と前記軟質カバー下要素とを、平面視重合する位置に配置するとともに、前記軟質カバー上要素の他端部側と軟質カバー下要素の他端部側とを連続させていることが好ましい。
【００１５】
さらに、前記第１係合要素と前記第２係合要素とを係合させた際に、前記硬質カバー体の上向き面と前記軟質カバー体の上向き面とが略面一となるように構成したものであれば、見栄えがよく、また、硬質カバー体と軟質カバー体との隙間部分の撓みを生じにくくすることができる。
【００１６】
以上のように構成したダクトカバーとこのダクトカバーにより閉塞される開口部を備えた家具本体とを備える家具であれば、家具としての使い勝手や見栄えを向上させることができる。
【発明の効果】
【００１７】
以上説明したように本発明のダクトカバーによれば、例えば、硬質カバー体をインジェクション成形で形成すれば、その硬質カバー体の上向き面の平滑性を確保でき、見栄えを良くできる。また、第１係合要素と第２係合要素とをともに硬質樹脂で構成しているので、それら第１係合要素と第２係合要素とを容易に係合させることができ、硬質カバー体と軟質カバー体とを取り付けやすい。さらに、軟質カバー体がへたっても、容易に交換することができる。
【００１８】
すなわち、家具としての外観の良さを確保でき、且つ、硬質カバー体と軟質カバー体との取り付け及び取り外しが容易にできるといった高性能なダクトカバーを提供することができる。
【発明を実施するための最良の形態】
【００１９】
以下、本発明の一実施形態を、図面を参照して説明する。
【００２０】
本発明に係るダクトカバーＡは、図１に示すように、オフィス等において主として執務用に使用される家具たるデスクＤに適用されるものである。
【００２１】
なお、本実施形態において、デスクＤの使用端側を前側、反使用端側を後側、と定義して説明を進める。
【００２２】
このデスクＤは、平面視略矩形状の天板部Ｄ１、前記天板部Ｄ１の両側端部を支持する一対の脚部Ｄ２、および、前記脚部Ｄ２の後端側に設けた幕板Ｄ３を備えるとともに、配線コード類を収容するためのダクト部Ｄ４を前記天板部Ｄ１の反使用端側に形成した家具本体たるデスク本体ＤＤと、前記ダクト部Ｄ４の開口部Ｄ４Ｘ１を隠蔽するためのダクトカバーＡとを具備してなる。
【００２３】
なお、本実施形態において、デスク本体ＤＤに、開口部Ｄ４Ｘ１の両端部を閉塞するための着脱可能なコーナー部Ｄ５をさらに具備するようにしているが、該ダクトカバーＡをその場所に配置するなど、実施態様に応じて適宜変更可能である。
【００２４】
以下、各部の具体的構成について説明する。
【００２５】
天板部Ｄ１は、平滑な作業面を天面Ｄ１１０に備える天板本体Ｄ１１と、この天板本体Ｄ１１の下端側に使用端側に引き出し可能な引出（図示せず）とを備えてなる。
【００２６】
脚部Ｄ２は、前記天板本体Ｄ１１の両側端部後方側を支持し側面視略矩形状の脚本体Ｄ２１と、前記脚本体Ｄ２１の下端部に設けられ且つその脚本体Ｄ２１を支持する脚本体支持部Ｄ２２と、前記脚本体Ｄ２１の上端部前方に設けられ且つ前記天板本体Ｄ１１の両側端部前方側を支持する天板支持部Ｄ２３とを備えてなる。
【００２７】
幕板Ｄ３は、正面視横長の略矩形状をなす薄板状のものであって、前記脚部Ｄ２間に設けられてなる。
【００２８】
コーナー部Ｄ５は、平滑な上向き面Ｄ５１０を備えるコーナー頂壁Ｄ５１と、このコーナー頂壁Ｄ５１の外側縁から垂下するコーナー側壁Ｄ５２とを具備し、これら各部を硬質合成樹脂により一体に形成している。そして、前記コーナー頂壁Ｄ５１の上向き面Ｄ５１０を、天板本体Ｄ１１の天面Ｄ１１０、後述する硬質カバー体１１の頂壁１１１の上向き面、後述する後側ダクト要素Ｄ４２の上向き面などと略面一を成すようにしている。
【００２９】
ダクト部Ｄ４は、図１、図２、図６及び図７に示すように、前側ダクト要素Ｄ４１と、後側ダクト要素Ｄ４２と、これら前側ダクト要素Ｄ４１および後側ダクト要素Ｄ４２の下方に位置する下側ダクト要素（図示せず）とを具備してなる。そして、これらダクト要素Ｄ４１、Ｄ４２等で囲まれた収容空間Ｄ４Ｘを備えるように構成するとともに、その収容空間Ｄ４Ｘの上端部に、上方に開口させた開口部Ｄ４Ｘ１を形成している。この開口部Ｄ４Ｘ１から配線コード類を前記収容空間Ｄ４Ｘに出し入れすることができる。
【００３０】
より具体的には、前側ダクト要素Ｄ４１は、前記天板本体Ｄ１１の後端部に設けられ、その幅方向である長手方向に各部等断面形状を有するものであって、本実施形態では合成樹脂で形成している。そして、この前側ダクト要素Ｄ４１には、載置したダクトカバーＡを支持するための前側第１載置要素Ｄ４１１と前側第２載置要素Ｄ４１２とに加え、載置したダクトカバーＡが抜け落ちること防止するための前側抜け落ち防止要素Ｄ４１３を備えている。また、前側第１載置要素Ｄ４１１と前側第２載置要素Ｄ４１２と前側抜け落ち防止要素Ｄ４１３とは、互いに平行をなすものである。また、前側第２載置要素Ｄ４１２と前側抜け落ち防止要素Ｄ４１３とは、平面視重合する位置に設けられるものである。
【００３１】
また、後側ダクト要素Ｄ４２は、前記幕板Ｄ３の上縁部に沿って設けられ、前記前側ダクト要素Ｄ４１と同様に、長手方向に各部等断面形状を有するものであって、本実施形態では合成樹脂で形成している。そして、この後側ダクト要素Ｄ４２には、載置したダクトカバーＡを支持するための後側第１載置要素Ｄ４２１と、載置したダクトカバーＡが抜け落ちること防止するための後側抜け落ち防止要素Ｄ４２２を備えている。また、後側第１載置要素Ｄ４２１と後側抜け落ち防止要素Ｄ４２２とは、互いに平行をなすものである。また、この後側第１載置要素Ｄ４２１と後側抜け落ち防止要素Ｄ４２２とは、平面視重合する位置に設けられるものである。
【００３２】
下側ダクト要素は、前記開口部Ｄ４Ｘ１から投入される配線を支持する支持片（図示せず）と、この支持片の前縁および後縁を略直角に起立させてなる前片（図示せず）および後片（図示せず）を具備してなる断面視略上向きコ字状のものである。
【００３３】
ダクトカバーＡは、前記天板部Ｄ１の反使用端縁と平行な方向に長手寸法を有する平面視略矩形状のものであって、ダクトカバー本体１と、このダクトカバー本体１に着脱可能に取り付けられる補助カバー２とを具備してなる。
【００３４】
より具体的に説明すると、ダクトカバー本体１は、硬質カバー体１１と、前記補助カバー２と係合し得る第1係合要素１２とを備えてなり、これら各部を、硬質樹脂（例えばＡＢＳ樹脂など）のインジェクション成形により一体に形成している。
【００３５】
そして、硬質カバー体１１が、平滑な上向き面１１１ａを有する頂壁１１１と、前記頂壁１１１の後縁から垂下する後壁１１２と、前記頂壁１１１の両側縁から垂下する端壁１１３と、前記頂壁１１１の下向き面１１１ｂから垂下され且つ略格子状に配置される複数の立壁たる補強リブ１１４と、前記後壁１１２の下部から反使用端側に突出し且つ前記補助カバー２を支持し得る補助カバー支持部１１５と、部材の弾性変形を利用して該硬質カバー体１１を前記開口部Ｄ４Ｘ１に取り付けるための弾性取付部１１６とを備えるように構成している。
【００３６】
さらに各部を詳述する。
【００３７】
頂壁１１１は、平面視略矩形状の薄板状のものである。
【００３８】
後壁１１２は、薄板状のものであって、上端部側の所定部を、後述する第1係合要素１２の基端部と連続させている。
【００３９】
端壁１１３は、前記後壁１１２の厚み寸法と略同じ厚み寸法を有する薄板状のものであって、後端部側に、厚み方向に貫通させた貫通孔１１３ａと、先端部側の一部を前記貫通孔１１３ａ内に配置され且つ基端部を該端壁１１３に支持される当接部１１３Ｔとを備えている。この当接部１１３Ｔは、先端部に、外側方に向けて突出する突出部１１３ＴＸを備えてなり、本実施形態においては、その形状を半球状としている（図８（ａ）参照。）。そして、該当接部１１３Ｔに外力が加わらない状態においては、この突出部１１３ＴＸが、前記端壁１１３の端面１１３１よりも外方に突出するように構成している。また、該当接部１１３Ｔに、該硬質カバー体１１の内方へ向かう外力を受けた際には、該当接部１１３Ｔの弾性力により内方側へ退避するように構成している。さらに、該端壁１１３の前縁１１３２を、下向きに傾斜させることにより、該端壁１１３における奥行き寸法が、上方に行くにしたがって漸次拡大するように構成している。またさらに、端壁１１３の前縁１１３２上端部には、前記頂壁１１１の下向き面１１１ｂにかけて側面視略矩形状の端壁段部１１３３を有するようにしている。
【００４０】
補強リブ１１４は、図３等に示すように、前記後壁１１２と略平行に前後に一対配置されてなる薄板状の長辺方向リブ１１４ａと、前記端壁１１３と略平行に複数配置されてなる薄板状の短辺方向リブ１１４ｂとを略格子状に配置して備えるとともに、前記前側に位置する長辺方向リブ１１４ａおよび前記短辺方向リブ１１４ｂが連続する接続部に補助リブ１１４ｃを備えている。なお、この補助リブ１１４ｃは、前側に位置する前記長辺方向リブ１１４ａより前方に突出して設けられている。さらに、後側に位置する長辺方向リブ１１４ａには、後述する弾性取付部１１６に対応する位置に、中央リブ１１４ｄを備えるものである。
【００４１】
この長辺方向リブ１１４ａは、厚み寸法を前記後壁１１２の厚み寸法より小さい寸法を有するようにしている。また、使用端側の長辺方向リブ１１４ａの厚み寸法が反使用端側の長辺方向リブ１１４ａの厚み寸法より小さくなるように構成している。すなわち、後壁１１２、反使用端側の長辺方向リブ１１４ａ、使用端側の長辺方向リブ１１４ａの順に、厚み寸法が小さくなるようにしている。さらに換言すれば、反使用端側から使用端側にかけて配列される後壁１１２および補強リブ１１４の厚み寸法が、この配列順に小さくなるようにしている。
【００４２】
短辺方向リブ１１４ｂは、厚み寸法を前記端壁１１３の厚み寸法より小さい寸法を有するようにしている。
【００４３】
補助リブ１１４ｃは、その前縁１１４ｃ１を、下向きに傾斜させることにより、該補助リブ１１４ｃにおける奥行き寸法が、上方に行くにしたがって漸次拡大するように構成している。そして、この補助リブ１１４ｃの前縁１１４ｃ１の傾斜角度と、前記端壁１１３の前縁１１３２の傾斜角度とを一致させるとともに、側面視した際に、それら補助リブ１１４ｃの前縁１１４ｃ１の傾斜面と端壁１１３の前縁１１３２の傾斜面とが、略同一平面（以下、この平面を使用端側傾斜面Ｐ１と称する。）上に配置されるように構成している。さらに、補助リブ１１４ｃの前縁上端部には、前記頂壁１１１の下向き面１１１ｂにかけて側面視略矩形状の補助リブ段部１１４ｃ２を有するようにしている。そして、側面視した際に、この補助リブ段部１１４ｃ２の下端縁および前端縁と、前記端壁段部１１３３の下端縁および前端縁とが、それぞれ略同一平面Ｐ３、Ｐ４上に配置されるように構成している。
【００４４】
また、端壁１１３および短辺方向リブ１１４ｂ間、短辺方向リブ１１４ｂおよび短辺方向リブ１１４ｂ間、短辺方向リブ１１４ｂおよび端壁１１３間には、それぞれ後述する弾性取付部１１６が設けられている。
【００４５】
補助カバー支持部１１５は、該硬質カバー体１１の両側部および中央部に設けられるものである。以下、説明の便宜上、側部に位置する補助カバー支持部１１５を例にとって説明すると、この補助カバー支持部１１５は、一対の支持部起立片１１５ａと、前記支持部起立片１１５ａの上端部の所定部分を連結する支持部頂片１１５ｂと、この支持部頂片１１５ｂの下面側に設けた支持部用リブ１１５ｃとを備えてなる。
【００４６】
支持部起立片１１５ａは、前記後壁１１２から反使用端側に突出するものである。そして、所定位置において後述する第２係合要素２２に干渉しないための支持部用段部１１５ａ１を備え、この支持部用段部１１５ａ１から先端部にかけて、その高さ寸法ｍｅ１が漸次大きくなるようにしている。
【００４７】
なお、該硬質カバー体１１の両端にある支持部起立片１１５ａの外向き面１１５ａｘを、前記端壁１１３の端面１１３１と略面一をなすように構成している。
【００４８】
支持部頂片１１５ｂは、一対の支持部起立片１１５ａの支持部用段部１１５ａ１から先端部までを連結するとともに、この支持部頂片１１５ｂの先端縁が、前記支持部起立片１１５ａの先端部よりも突出する位置に位置付けられるように構成している。また、この支持部頂片１１５ｂの上向き面１１５ｂ１により補助カバー２を支持し得るように構成している。また、この支持部頂片１１５ｂの下向き面１１５ｂ２が、閉塞状態において、後側第１載置要素Ｄ４２１に支持されるように構成している。
【００４９】
支持部用リブ１１５ｃは、支持部頂片１１５ｂの下面側略中央部から、前記長辺方向リブ１１４ａにかけて設けられるものである。そして、後述する弾性取付部１１６の連結片１１６ｃと所定距離、離間させて配置している。
【００５０】
弾性取付部１１６は、図３乃至図７に示されるように、前記ダクトカバー本体１の下面側において前後対称および長手方向に沿って計６箇所設けられている。具体的には、前記硬質カバー体１１（頂壁１１１）の下面側の前縁部においてその両側部及び中央部の３箇所に設けられ、さらに、それぞれの前後対称に位置する前記補助カバー支持部１１５（支持部頂片１１５ｂ）の下面側の３箇所に設けられる（図３参照。）。
【００５１】
以下、説明の便宜上、硬質カバー体１１（頂壁１１１）の側部に設けられた弾性取付部１１６を例にとって説明する。
【００５２】
この弾性取付部１１６は、一対の弾性片１１６ａと、前記弾性片１１６ａの先端部に設けてなる一対の爪部１１６ｂと、この爪部１１６ｂ間の距離を可変可能に連結する連結片１１６ｃとを備えてなる。
【００５３】
弾性片１１６ａは、該ダクトカバーＡの取付方向Ｊ１と直交する延出方向Ｊ２に延出する薄板状のものである（図４、図５参照）。そして、一方の弾性片１１６ａは、その基端部を、立壁たる前記短辺方向リブ１１４ｂと前記頂壁１１１の下向き面１１１ｂに支持されており、また、先端側を、前記頂壁１１１の下向き面１１１ｂから所定距離、離間させ、それらとの間に隙間部ＳＫを形成している。また、他方の弾性片１１６ａは、その基端部を、立壁たる前記端壁１１３と前記頂壁１１１の下向き面１１１ｂに支持されており、また、先端側を、前記頂壁１１１の下向き面１１１ｂから所定距離、離間させ、それらとの間に隙間部ＳＫを形成している。
【００５４】
すなわち、一対の弾性片１１６ａは、面を向き合わせて対向する両立壁（端壁１１３および短辺方向リブ１１４ｂ）をそれぞれ基端とし、先端を、互いに相寄る方向に延出させている。
【００５５】
なお、前記両立壁を、前記硬質カバー体１１の中央部においては、対向する一対の短辺方向リブ１１４ｂ、１１４ｂにより構成し、前記補助カバー支持部１１５においては、対向する一対の支持部起立片１１５ａ、１１５ａによりそれぞれ構成している。
【００５６】
しかして、この弾性片１１６ａの先端部に設けた後述の爪部１１６ｂが、前記弾性片１１６ａの厚み方向に進退することができる。
【００５７】
爪部１１６ｂは、側面視略三角形状をなすものであって、第１傾斜面たる下向き傾斜面１１６ｂ１と、第２傾斜面たる上向き傾斜面１１６ｂ２とを備えてなる。そして、これら下向き傾斜面１１６ｂ１と上向き傾斜面１１６ｂ２とが成す角度を、略直角に構成している。また、側面視した際に、爪部１１６ｂの先端部が、前記使用端側傾斜面Ｐ１または反使用端側傾斜面Ｐ２よりも外方に突出する位置に位置付けられるように構成している（図５参照。）。
【００５８】
連結片１１６ｃは、平面視略Ｕ字状のものであって、両端部を前記一対の爪部１１６ｂに接続するとともに、それら爪部１１６ｂ間の距離を可変可能に連結している。
【００５９】
なお、該連結片１１６ｃの弧状部分は、前記爪部１１６ｃと反対方向に突出させており、前記中央リブ１１４ｄまたは前記支持部用リブ１１５ｃの先端と対向する位置関係にある。これは、前記爪部１１６ｂに外力が付与された場合、前記弾性片１１６ａの弾性変形の限界を超えないようにする為で、前記弾性片１１６ａが過剰に撓んだ際に、弧状部分が、前記中央リブ１１４ｄまたは前記支持部用リブ１１５ｃの先端と当接することで、その破損を防止できるようにしている。
【００６０】
すなわち、前記弾性取付部１１６は、弾性規制手段をも具備してなり、本実施形態においては、前記連結片１１６ｃと、これに対向する位置に設けられる規制突片たる前記中央リブ１１４ｄまたは前記支持部用リブ１１５ｃとにその機能を担わせている。
【００６１】
第1係合要素１２は、所定間隔離間し且つ前記後壁１１２の長手方向と平行をなすように略一直線上に配置した複数の摺動要素１２１ａ、１２１ｂ（以下、摺動要素１２１と総称する。）を備えるものである。そして、この摺動要素１２１は、断面視略横Ｔ字形状を有するものであって、前記硬質カバー体１１の後壁１１２より略直角に起立させてなる基端側摺動要素１２１ｘと、この基端側摺動要素１２１ｘの先端部に直交して設けた先端側摺動要素１２１ｙとを具備してなる。また、これら基端側摺動要素１２１ｘと先端側摺動要素１２１ｙとを、後述する第２係合要素２２内に係合させることにより、その第２係合要素２２が、該第1係合要素１２の長手方向に沿ってスライド移動し得るように構成している。
【００６２】
またさらに、各摺動要素１２１の両先端部を、その先端に向けて断面積が徐々に小さくなるように構成している。
【００６３】
加えて、前記摺動要素１２１ｂには、前記スライド方向と直交する方向に窪む凹部１２１ｂ１を備えている。本実施形態では、前記摺動要素１２１ｂの後向き面の所定箇所を厚み方向に窪ませて、凹部１２１ｂ１を形成している。そして、この凹部１２１ｂ１の所定位置に、インジェクション成型型に設けた樹脂注入ゲート（いわゆる湯口）を対応させている。
【００６４】
補助カバー２は、軟質樹脂により形成される軟質カバー体２１と、硬質樹脂から形成される第２係合要素２２とを具備してなる。
【００６５】
そして、長手方向に各部等断面形状を有するように、これら軟質カバー体２１と第２係合要素２２とを押出成形により形成している。
【００６６】
より具体的に各部を説明する。
【００６７】
軟質カバー体２１は、軟質カバー上要素２１１と、軟質カバー下要素２１２とを備えてなる。そして、それぞれの基端部側を前記第２係合要素２２に固着支持させるとともに、それぞれの先端部を連続させることにより、これら軟質カバー上要素２１１、軟質カバー下要素２１２、第２係合要素２２によって囲まれる中空状の空間２１ｘが形成されるようにしている。
【００６８】
軟質カバー上要素２１１は、平面視略矩形状のものであって、その基端部側と後述する第２係合要素２２の上片２２１とが、平面視重合するように、その基端部側を第２係合要素２２の上片２２１から起立片２２３の上端部にかけて固着されるようにしている。また、上向き面２１１０には、長手方向に沿って延びる複数の溝部２１１ａが設けられている。
【００６９】
軟質カバー下要素２１２は、平面視略矩形状のものであって、後述する第２係合要素２２の起立片２２３の下端部側に固着されてなる。そして、前記軟質カバー上要素２１１を平面視した際に、この軟質カバー上要素２１１と前記軟質カバー下要素２１２とが重合して、軟質カバー上要素２１１によって軟質カバー下要素２１２が、上方から視認不能に隠蔽されるように構成している。
【００７０】
一方、第２係合要素２２は、横断面略コ字状のものであって、一対の上片２２１および下片２２２と、これら上片２２１と下片２２２とを連結する起立片２２３とを備えてなる。
【００７１】
なお、上片２２１の先端部と下片２２２の先端部とに突出片２２ｚをそれぞれ設け、それら先端部間の寸法が、基端部間の寸法よりも小さくなるようにしている。しかして、この第２係合要素２２内に位置付けた第1係合要素１２の先端側摺動要素１２１ｙが、この突出片２２ｚに当接して、係合解除されることを効果的に防止している。
【００７２】
以上のように構成されるダクトカバーＡについて、その使用方法を、以下説明する。
【００７３】
（１）ダクトカバー本体１と補助カバー２とを取り付ける方法。
【００７４】
まず、ダクトカバー本体１と補助カバー２とが離間した状態にあるとき、ダクトカバー本体１の第1係合要素１２と補助カバー２の第２係合要素２２とを近接する位置に位置付ける。
【００７５】
そして、第1係合要素１２を、第２係合要素２２内に差し込む操作を行う際に、第1係合要素１２を構成する摺動要素１２１の先端部が先細りになっているので、第1係合要素１２を第２係合要素２２に対して容易に差し込むことができる。
【００７６】
そしてさらに第1係合要素１２を第２係合要素２２内に差し込む方向に力を加えると、第1係合要素１２は第２係合要素２２に案内されてスライドを始めるが、このとき、第２係合要素２２内に位置付けた第1係合要素１２の先端側摺動要素１２１ｙが、この突出片２２ｚに当接して、係合解除されることを防止されているので、スライド移動時に第１係合要素１２と第２係合要素２２とが抜け落ちることが無く、使い勝手がよい。
【００７７】
また、本実施形態では、第1係合要素１２を複数の摺動要素１２１により構成しているが、各摺動要素１２１の両先端部を先細りに構成し、且つそれら摺動要素１２１を一直線上に並べて配置しているので、途中で摺動要素１２１と第２係合要素２２とが当接するといった不具合も生じない。加えて、ダクトカバー本体１１を硬質樹脂のインジェクション成形により形成しているが、成形時に硬質樹脂が投入されるいわゆる湯口と対応する位置に凹部１２１ｂ１に備えているので、成形によるバリ等が多少残っていても第２係合要素２２と当接することがなく摺動を妨げない。すなわち、スムーズなスライド移動によって、ダクトカバー本体１の両端部と補助カバー２の両端部とが揃った所定位置へ、それらダクトカバー本体１の両端部および補助カバー２を位置付けることができる。
【００７８】
以上の操作において、補助カバー２の第２係合要素２２を上下から挟むように把持すれば、第２係合要素２２は硬質樹脂で形成されているので、把持することで撓んだりせず、しっかりと把持できるので操作感および把持感がよい。また、補助カバー２の軟質カバー体２１部分のみを把持したとしても、補助カバー２全体を軟質樹脂で構成している場合に比べ、操作感および把持感は向上する。
【００７９】
なお、ダクトカバー本体１と補助カバー２とを取り外すときには、それらをスライドさせる方向に外力を加えれば、係合解除可能な位置まで容易にスライドさせて係合を解除することができる。このように、ダクトカバー本体１と補助カバー２とを簡単に取り外すことができるので、例えば、軟質カバー体２１を取り替える必要が生じた場合でも、これに柔軟に対応することができる。
【００８０】
（２）ダクトカバーＡを開口部Ｄ４Ｘ１に取り付ける方法。
【００８１】
一例を挙げると、まず、ダクトカバーＡを、（１）で説明したように、ダクトカバー本体１の両端部と補助カバー２の両端部とが揃った状態にする。そして、図７（Ｓ１）に示すように、反使用端側の爪部１１６ｂの下向き傾斜面１１６ｂ１を、前記後側ダクト要素Ｄ４２の後側第１載置要素Ｄ４２１の先端部に当接させる。
【００８２】
次に、その当接部分を回動中心として、該ダクトカバーＡを、前記開口部Ｄ４Ｘ１を閉塞する方向に回転させる。このようにしてダクトカバーＡを回動させると、使用端側の爪部１１６ｂが、前記前側ダクト要素Ｄ４１の前側第２載置要素Ｄ４１２の先端部と当接する位置に位置付けられ、該ダクトカバーＡの上向き面１１１ａが水平な状態となる（図７（Ｓ２）参照。）。
【００８３】
さらに、図７中に示す方向ＤＲ１に外力を加えると、爪部１１６ｂの下向き傾斜面１１６ｂ１が、それぞれ後側第１載置要素Ｄ４２１の先端部と前側第２載置要素Ｄ４１２の先端部とに押圧され、これに連動して連結片１１６ｃが弾性変形する。
【００８４】
そして、さらにダクトカバーＡに対して、方向ＤＲ１の向きに外力を加えると、該ダクトカバーＡは、図７（Ｓ３）に示すように、開口部Ｄ４Ｘ１を閉塞する位置に位置付けられる。
【００８５】
この閉塞状態では、使用端側において、頂壁１１１の下向き面１１１ｂと前側第１載置要素Ｄ４１１とが（または、端壁段部１１３３の下向き面と前側第２載置要素Ｄ４１２とが）当接する一方、爪部１１６ｂの上向き傾斜面１１６ｂ２と前側抜け落ち防止要素Ｄ４１３の先端部とが当接し、加えて、反使用端側において、支持部頂片１１５ｂの下向き面１１５ｂ２と後側第１載置要素Ｄ４２１とが当接する一方、爪部１１６ｂの上向き傾斜面１１６ｂ２と後側抜け落ち防止要素Ｄ４２２の先端部とが当接して、爪部１１６ｂを支持する連結片１１６ｃの弾性変形によりダクトカバーＡが間接的に支持されることとなるので、開口部Ｄ４Ｘ１を閉塞したダクトカバーＡが上下方向に不要にがたつくことがない。
【００８６】
なお、反使用端側の爪部１１６ｂの下向き傾斜面１１６ｂ１を、前記後側ダクト要素Ｄ４２の後側第１載置要素Ｄ４２１の先端部に当接させ、使用端側を回動させることにより、該ダクトカバーＡを取り付けるようにようにしているが、使用端側の爪部１１６ｂの下向き傾斜面１１６ｂ１を、前記前側ダクト要素Ｄ４１の前側第１載置要素Ｄ４１１の先端部に当接させ、反使用端側を回動させて取り付けるようにしてもよい。
【００８７】
しかして、硬質カバー体１１の上向き面１１１ａと前記軟質カバー体２１の上向き面２１１０とが略面一となる。
【００８８】
（３）複数のダクトカバーＡを開口部Ｄ４Ｘ１に取り付ける方法。
【００８９】
ところで、複数のダクトカバーＡを開口部Ｄ４Ｘ１に取り付けると、開口部Ｄ４Ｘ１の端側に位置付けられたダクトカバーＡの一方の端面１１３１から突出する当接部１１３Ｔの突出部１１３ＴＸが、コーナー部Ｄ５の内側壁（図示せず）に当接する一方、他方の端面１１３１から突出する当接部１１３Ｔの突出部１１３ＴＸは、隣接するダクトカバーＡの端面１１３１から突出する当接部１１３Ｔの突出部１１３ＴＸと当接する（図３参照。）。
【００９０】
また、開口部Ｄ４Ｘ１の中央部側に位置付けられたダクトカバーＡの両端面１１３１から突出する当接部１１３Ｔの突出部１１３ＴＸは、それぞれ隣接するダクトカバーＡの端面１１３１から突出する当接部１１３Ｔの突出部１１３ＴＸと当接する（図３参照。）。
【００９１】
すなわち、開口部Ｄ４Ｘ１に取り付けたダクトカバーＡに備える当接部１１３Ｔの突出部１１３ＴＸが、他のダクトカバーＡの当接部１１３Ｔの突出部１１３ＴＸまたはコーナー部Ｄ５の内側壁と当接して、それぞれの当接部１１３Ｔは、それぞれのダクトカバーＡの内方へ向かう外力を常に受けることとなる。
【００９２】
したがって、外力を受けた当接部１１３Ｔは、他の当接部１１３Ｔなどと当接した状態を保ちながら弾性変形してダクトカバーＡの内方へ退避する。
【００９３】
このようにして、ダクトカバーＡの端面１１３１間の隙間ＳＳ１が略均一に形成され、また、開口部Ｄ４Ｘ１の両端に取り付けられた各ダクトカバーＡを構成する端壁１１３の端面１１３１と各コーナー部Ｄ５の内側壁との隙間ＳＳ２も略均一になるので、家具としての見栄えを向上させることができる（図１参照。）。
【００９４】
（４）開口部Ｄ４Ｘ１に取り付けたダクトカバーＡを取り外す方法。
【００９５】
まず、補助カバー２の反使用端側を上方にめくり、めくられた際に形成される空間に指などを差し込めるようにする。
【００９６】
そして、補助カバー２をめくった空間に指などを指し込んで補助カバー２の下面側などに指を掛け、これを持ち上げる。
【００９７】
すると、使用端側を回動中心として、反使用端側が持ち上がり始める。
【００９８】
さらに、回動させれば、爪部１１６ｂと後側抜け落ち防止要素Ｄ４２２との係合が解除され、ダクトカバーＡの反使用端側の拘束が解かれる。
【００９９】
このとき、後側抜け落ち防止要素Ｄ４２２と当接している爪部１１６ｂの上向き傾斜面１１６ｂ２が、係合解除を効果的に案内するので、容易に係合解除することができる。
【０１００】
しかして、該ダクトカバーＡを、開口部Ｄ４Ｘ１から取り外すことができる。
【０１０１】
このように、本実施形態に係るダクトカバーＡは、硬質カバー体１１をインジェクション成形で形成しているので、その硬質カバー体１１の上向き面１１１ａの平滑性を確保でき、見栄えを良くできる。また、第１係合要素１２と第２係合要素２２とをともに硬質樹脂で構成しているので、それら第１係合要素１２と第２係合要素２２とを容易に係合させることができ、硬質カバー体１１と軟質カバー体２１とを取り付けやすい。さらに、軟質樹脂部分がへたっても、容易に交換することができる。
【０１０２】
すなわち、ダクトカバーＡをデスクＤに適用しても、家具としての外観の良さを確保でき、且つ、硬質カバー体１１と軟質カバー体２１との取り付け及び取り外しが容易にできるといった、高付加価値なダクトカバーＡを実現することができる。
【０１０３】
また、軟質カバー体２１と第２係合要素２２とを、押し出し成形により一体に形成しているので、容易に且つ安価に製造することができる。
【０１０４】
そして、第２係合要素２２を、軟質カバー体２１と平面視重合して隠蔽され得る位置に設けているので、その第２係合要素２２を軟質カバー体２１により隠蔽して、外観を向上することができる。
【０１０５】
また、第１係合要素１２と第２係合要素２２とを、所定方向に沿ってスライド移動可能に構成しているので、スライドといった簡単な動作で、硬質カバー体と軟質カバー体とを容易に着脱することができる。
【０１０６】
加えて、第１係合要素１２が、第２係合要素２２の少なくとも一部と摺動し且つその第２係合要素２２のスライド移動を前記スライド移動方向と異なる方向への移動を禁止しつつ案内する摺動要素１２１を備えているので、よりスムーズなスライドを実現することができるとともに、軟質カバー体２１の脱落を防止できる。
【０１０７】
そして、この摺動要素１２１が、前記所定方向と直交する方向に窪み且つ第２係合要素２２と摺動することを避けるための凹部１２１ｂ１を備えているので、凹部１２１ｂ１内の所定部を、インジェクション成形型に設けた樹脂注入ゲートと対応させれば、成形時に生じるバリが多少残っていても第２係合要素２２の一部とこの摺動要素１２１とが当接せず、すなわちスライドを妨げることにはならず、好適に使用できる。
【０１０８】
また、第２係合要素２２が横断面略コ字状のものであり、且つ、前記摺動要素１２１が第２係合要素２２内を摺動するものであって、前記所定方向における第１係合要素１２の先端部を、その先端に向けて断面積が徐々に小さくなるように構成しているので、第１係合要素１２と第２係合要素２２とを差し込み易い。
【０１０９】
さらに、軟質カバー体２１が、一端部側を第２係合要素２２の上端部に支持される軟質カバー上要素２１１と、一端部側を前記第２係合要素２２の下端部に支持される軟質カバー下要素２１２とを備えるものであって、この軟質カバー上要素２１１と軟質カバー下要素２１２とを、平面視重合する位置に配置するとともに、軟質カバー上要素２１１の他端部側と軟質カバー下要素２１２の他端部側とを連続させているので、軟質カバー体２１全体の剛性を高め、軟質カバー上要素２１１にしわが生じることを効果的に防止することができる。
【０１１０】
そして、第１係合要素１２と第２係合要素２２とを係合させた際に、硬質カバー体１１の上向き面１１１ａと軟質カバー体２１の上向き面２１１０とが略面一となるように構成しているので、見栄えがよく、また、硬質カバー体２１と軟質カバー体２２との隙間部分の撓みを生じにくくすることができる。
【０１１１】
なお、本発明は、以上に詳述した実施形態に限られるものではない。
【０１１２】
例えば、第１係合要素１２を硬質カバー体１１と一体に形成するとともに、第２係合要素２２を軟質カバー体２１と一体に形成しているが、第１係合要素を軟質カバー体と一体に形成するとともに、第２係合要素を硬質カバー体と一体に形成してもよい。
【０１１３】
また、第１係合要素１２と第２係合要素２２とがスライド移動可能に係合するように構成しているが、スライド移動不能に係合させるといった実施態様も考えられる。
【０１１４】
また、爪部１１６ｂを、ダクトカバーＡの使用端側の縁部と反使用端側の縁部とに、それぞれ設けているが、いずれか一方の縁部にのみ設けるように構成してもよい。
【０１１５】
また、本実施形態におけるダクトカバーＡは、天板部Ｄ１の反使用端側に備えるものとしているが、天板部Ｄ１の中央に備えたり脚部Ｄ２に備えたりするなど、実施態様に応じてその配置場所を適宜設定できる。
【０１１６】
また、デスクＤの構成も本実施形態に限られるものではない。さらに、ダクトカバーＡを適用する家具は、デスクＤに限らず、配線コード類を収容可能な開口部を備えた家具一般に適用することもできる。
【０１１７】
さらに、家具への取付を、硬質カバー体１１の上向き面１１１ａが上方を向くようにしているが、例えば横方向を向くようにするなど、取付方法はこれに限られるものではない。
【０１１８】
なお、本実施形態においては、軟質カバー上要素２１１の基端部側を、第２係合要素２２の上片２２１から起立片２２３の上端部にかけて設けているが、特に、上片２２１の先端部から下向きに突出する突出片２２ｚの外面から上片２２１を介して起立片２２３の上端部にかけて設けるとさらに好適である。ダクトカバー全体の硬質部分と軟質部分の目地がより明確に区分され、ダクトカバー全体としての外観上の統一感を得ることができるからである。
【０１１９】
その他、各部の具体的構成についても上記実施形態に限られるものではなく、本発明の趣旨を逸脱しない範囲で種々変形が可能である。
【図面の簡単な説明】
【０１２０】
【図１】本発明の一実施形態におけるダクトカバーを適用したデスクを示す全体斜視図。
【図２】同実施形態における取付要部を示す斜視図。
【図３】同実施形態におけるダクトカバー本体を示す底面図。
【図４】同実施形態におけるダクトカバー本体を示す側面図。
【図５】同実施形態におけるダクトカバー本体１を示す側端面図。
【図６】同実施形態における取付要部の構造断面図。
【図７】同実施形態におけるダクトカバーの取り付け方法を示す図。
【図８】同実施形態における当接部の具体的態様を拡大して模式的に示す斜視図。
【符号の説明】
【０１２１】
Ａ・・・・・・・ダクトカバー
Ｄ・・・・・・・家具（デスク）
ＤＤ・・・・・・家具本体（デスク本体）
Ｄ４Ｘ１・・・・開口部
１１・・・・・・硬質カバー体
１２・・・・・・第1係合要素
２１・・・・・・軟質カバー体
２２・・・・・・第２係合要素
１１１ａ・・・・上向き面
１２１・・・・・摺動要素
１２１ｂ１・・・凹部
２１１・・・・・軟質カバー上要素
２１２・・・・・軟質カバー下要素
２１１０・・・・上向き面
【図１】
2005143750.tif 000003
【図２】
2005143750.tif 000004
【図３】
2005143750.tif 000005
【図４】
2005143750.tif 000006
【図５】
2005143750.tif 000007
【図６】
2005143750.tif 000008
【図７】
2005143750.tif 000009
【図８】
2005143750.tif 000010